(57)【特許請求の範囲】
【請求項１】
基幹ネットワークに接続する複数の無線基地局と、前記無線基地局と無線回線で接続する加入者局と、前記ネットワークの管理を行う管理センタとを備える無線アクセスシステムであって、
前記管理センタにＳＮＭＰマネージャを備え、前記各無線基地局にＳＮＭＰエージェントと加入者の情報を記憶する加入者管理情報テーブルとを備え、前記各無線基地局は、前記加入者管理情報テーブルを参照して通信許可された加入者局と通信を行う無線アクセスシステムであり、
前記管理センタのＳＮＭＰマネージャは、ＳＮＭＰプロトコルを使用して前記無線基地局のＳＮＭＰエージェントに加入者の新規登録の情報をＳＮＭＰのＳＥＴリクエストにより送信し、
前記無線基地局のＳＮＭＰエージェントは、前記ＳＥＴリクエストが加入者の新規登録であると判断すると、当該加入者が前記加入者管理情報テーブルに登録されているか否かを調べ、既に登録されていれば前記管理センタのＳＮＭＰマネージャにエラーを返信し、登録されていなければ前記加入者管理情報テーブルに新規登録の加入者の情報を登録することを特徴とする無線アクセスシステム。
【請求項２】
基幹ネットワークに接続する複数の無線基地局と、前記無線基地局と無線回線で接続する加入者局と、前記ネットワークの管理を行う管理センタとを備える無線アクセスシステムであって、
前記管理センタにＳＮＭＰマネージャを備え、前記各無線基地局にＳＮＭＰエージェントと加入者の情報を記憶する加入者管理情報テーブルとを備え、前記各無線基地局は、前記加入者管理情報テーブルを参照して通信許可された加入者局と通信を行う無線アクセスシステムであり、
前記管理センタのＳＮＭＰマネージャは、ＳＮＭＰプロトコルを使用して前記無線基地局のＳＮＭＰエージェントに加入者の登録削除の情報をＳＮＭＰのＳＥＴリクエストにより送信し、
前記無線基地局のＳＮＭＰエージェントは、前記ＳＥＴリクエストが加入者の登録削除であると判断すると、当該加入者が前記加入者管理情報テーブルに登録されているか否かを調べ、登録されていなければ前記管理センタのＳＮＭＰマネージャにエラーを返信し、登録されていれば前記加入者管理情報テーブルにおける加入者の情報を削除することを特徴とする無線アクセスシステム。
【請求項３】
基幹ネットワークに接続する複数の無線基地局と、前記無線基地局と無線回線で接続する加入者局と、前記ネットワークの管理を行う管理センタとを備える無線アクセスシステムであって、
前記管理センタにＳＮＭＰマネージャを備え、前記各無線基地局にＳＮＭＰエージェントと加入者の情報を記憶する加入者管理情報テーブルとを備え、前記各無線基地局は、前記加入者管理情報テーブルを参照して通信許可された加入者局と通信を行う無線アクセスシステムであり、
前記管理センタのＳＮＭＰマネージャは、ＳＮＭＰプロトコルを使用して前記無線基地局のＳＮＭＰエージェントに加入者の運用停止の情報をＳＮＭＰのＳＥＴリクエストにより送信し、
前記無線基地局のＳＮＭＰエージェントは、前記ＳＥＴリクエストが加入者の運用停止であると判断すると、当該加入者が前記加入者管理情報テーブルに登録されているか否かを調べ、登録されていなければ前記管理センタのＳＮＭＰマネージャにエラーを返信し、登録されていれば前記加入者管理情報テーブルにおける加入者の情報を運用停止に設定することを特徴とする無線アクセスシステム。
【請求項４】
無線基地局は、加入者の運用停止の情報の設定を行うと、当該加入者局へ運用停止を通知し、前記加入局は、接続する端末に運用停止を通知することを特徴とする請求項３記載の無線アクセスシステム。
【請求項５】
無線基地局は、加入局に対して運用停止の通知を連続して行うことを特徴とする請求項４記載の無線アクセスシステム。
【請求項６】
基幹ネットワークに接続する複数の無線基地局と、前記無線基地局と無線回線で接続する加入者局と、前記ネットワークの管理を行う管理センタとを備える無線アクセスシステムであって、
前記管理センタにＳＮＭＰマネージャを備え、前記各無線基地局にＳＮＭＰエージェントと加入者の情報を記憶する加入者管理情報テーブルとを備え、前記各無線基地局は、前記加入者管理情報テーブルを参照して通信許可された加入者局と通信を行う無線アクセスシステムであり、
前記管理センタのＳＮＭＰマネージャは、ＳＮＭＰプロトコルを使用して前記無線基地局のＳＮＭＰエージェントに加入者の運用再開の情報をＳＮＭＰのＳＥＴリクエストにより送信し、
前記無線基地局のＳＮＭＰエージェントは、前記ＳＥＴリクエストが加入者の運用再開であると判断すると、前記加入者管理情報テーブルを調べ、当該加入者が登録されていない場合及び登録はされているものの運用情報が停止となっていない場合には前記管理センタのＳＮＭＰマネージャにエラーを返信し、登録されていて運用情報が停止となっている場合に前記加入者管理情報テーブルにおける加入者の情報を運用再開に設定することを特徴とする無線アクセスシステム。
【請求項７】
無線基地局は、加入者の運用再開の情報の設定を行うと、当該加入者局へ運用再開を通知し、前記加入局は、接続する端末に運用再開を通知することを特徴とする請求項６記載の無線アクセスシステム。
【請求項８】
無線基地局は、加入局に対して運用再開の通知を連続して行うことを特徴とする請求項７記載の無線アクセスシステム。
【請求項９】
基幹ネットワークに接続する複数の無線基地局と、前記無線基地局と無線回線で接続する加入者局と、前記ネットワークの管理を行う管理センタとを備える無線アクセスシステムであって、
前記管理センタにＳＮＭＰマネージャを備え、前記各無線基地局にＳＮＭＰエージェントと加入者の情報を記憶する加入者管理情報テーブルとを備え、前記各無線基地局は、前記加入者管理情報テーブルを参照して通信許可された加入者局と通信を行う無線アクセスシステムであり、
前記管理センタのＳＮＭＰマネージャは、ＳＮＭＰプロトコルを使用して前記無線基地局のＳＮＭＰエージェントに第１の特定時間に加入者の運用停止の情報を、第２の特定時間に加入者の運用再開の情報をＳＮＭＰのＳＥＴリクエストにより送信し、
前記無線基地局のＳＮＭＰエージェントは、前記第１の特定時間に受信したＳＥＴリクエストが加入者の運用停止であると判断すると、当該加入者が前記加入者管理情報テーブルに登録されているか否かを調べ、登録されていなければ前記管理センタのＳＮＭＰマネージャにエラーを返信し、登録されていれば前記加入者管理情報テーブルにおける加入者の情報を運用停止に設定し、
前記無線基地局のＳＮＭＰエージェントは、前記第２の特定時間に受信したＳＥＴリクエストが加入者の運用再開であると判断すると、前記加入者管理情報テーブルを調べ、当該加入者が登録されていない場合及び登録はされているものの運用情報が停止となっていない場合には前記管理センタのＳＮＭＰマネージャにエラーを返信し、登録されていて運用情報が停止となっている場合に前記加入者管理情報テーブルにおける加入者の情報を運用再開に設定することを特徴とする無線アクセスシステム。
【請求項１０】
基幹ネットワークに接続する複数の無線基地局と、前記無線基地局と無線回線で接続する加入者局と、前記ネットワークの管理を行う管理センタとを備える無線アクセスシステムであって、
前記管理センタにＳＮＭＰマネージャを備え、前記各無線基地局にＳＮＭＰエージェントと加入者の情報を記憶する加入者管理情報テーブルとを備え、前記各無線基地局は、前記加入者管理情報テーブルを参照して通信許可された加入者局と通信を行う無線アクセスシステムであり、
前記管理センタのＳＮＭＰマネージャからＳＮＭＰプロトコルを使用して前記無線基地局のＳＮＭＰエージェントに加入者の新規登録の情報が送信されると、前記加入者管理情報テーブルに加入者の新規登録を設定する加入者登録手段と、
前記管理センタのＳＮＭＰマネージャからＳＮＭＰプロトコルを使用して前記無線基地局のＳＮＭＰエージェントに加入者の登録削除の情報が送信されると、前記加入者管理情報テーブルに加入者の登録削除を設定する加入者削除手段と、
前記管理センタのＳＮＭＰマネージャからＳＮＭＰプロトコルを使用して前記無線基地局のＳＮＭＰエージェントに加入者の運用停止の情報が送信されると、前記加入者管理情報テーブルに加入者の運用停止を設定する加入者サービス停止手段と、
前記加入者の運用停止の際に、運用停止の加入者局に無線信号を使用してサービス停止を通知するサービス停止通知手段と、
前記管理センタのＳＮＭＰマネージャからＳＮＭＰプロトコルを使用して前記無線基地局のＳＮＭＰエージェントに加入者の運用再開の情報が送信されると、前記加入者管理情報テーブルに加入者の運用再開を設定する加入者サービス再開手段と、
前記加入者の運用再開の際に、運用再開の加入者局に無線信号を使用してサービス再開を通知するサービス再開通知手段とを備えたことを特徴とする無線アクセスシステム。
【発明の詳細な説明】
【０００１】
【発明の属する技術分野】
本発明は、無線を利用して高速回線を加入者に提供する無線アクセスシステムに係り、特に、加入者の管理を容易に行うことができる無線アクセスシステムに関する。
【０００２】
【従来の技術】
次世代の情報通信基盤整備を目的とし、２０１０年を目標に加入者系光ファイバ網の全国整備が進められる中、加入者系光ファイバ網の補完的利用や地域網整備の早期推進などの目的で、無線を利用して高速回線を加入者へ提供する加入者無線アクセスシステム（FWS:Fixed Wireless Access/単に「無線アクセスシステム」と呼ぶ）への要求が膨らんでいる。
【０００３】
無線アクセスシステムには、企業を対象としたビル間通信によるＰ−Ｐ（Point-Point）方式と、一般住宅や小規模オフィス（SOHO:Small Office Home Office）を対象としたＰ−ＭＰ（Point-MultiPoint）方式が考えられている。
Ｐ−ＭＰ方式の無線アクセスシステムでは、一つの無線基地局と、無線回線で接続する複数の加入者局で構成される。
【０００４】
一般に、Ｐ−ＭＰ方式の無線アクセスシステムでは、一つの無線基地局が複数の加入者局と通信を行うためには、無線通信の際に、通信対象となる加入者局が当該無線アクセスシステムに加入する加入者局であるか否かを判定した後、通信を実行するようになっている。
【０００５】
上記のように、無線基地局で認証制御を行うためには、一つの無線基地局が収容する全ての加入者に関する登録情報を予め無線基地局内に保持しておく必要がある。
従って、無線アクセスシステムでは、新しい加入者が通信事業者と新規にサービスを契約する際には、当該加入者の識別子（加入者ＩＤ）等で構成する登録情報を無線基地局に保存したり、加入者が通信業者との契約を解除する際には、登録情報の削除を行うことが必要になっていた。
【０００６】
尚、加入者無線アクセスシステムの概要に関しては、NIKKEI COMMUNICATIONS 1999.9.6. ｐ１０６〜ｐ１１２「高速無線アクセス「ＦＷＡ」の将来性」に記載されている。
また、ネットワークの管理方法としては、平成９年（１９９７年）５月１６日公開の特開平９−１３０４１９号「ネットワーク管理方法」（出願人：日立電線株式会社、発明者：鹿島秀亮）がある。
この発明は、特定の中継装置の配下に全ての中継装置が接続されており、管理装置は特定の中継装置を介して通信を行うことで、全ての中継装置に対する管理操作を実行できるものである。
【０００７】
【発明が解決しようとする課題】
このように、上記従来の無線アクセスシステムでは、全加入者の登録情報を予め対応する無線基地局で保存していなければならないため、加入者の登録、削除、停止、再開等を容易に管理することが難しく、特に無線基地局の数が増加した場合に、加入者の頻繁な状況変更に対応できないという問題点があった。
【０００８】
本発明は上記実情に鑑みて為されたもので、加入者の登録、削除等を管理センタからの要求により該当する無線基地局に設定し、遠隔保守を実現する無線アクセスシステムを提供することを目的とする。
【０００９】
【課題を解決するための手段】
上記従来例の問題点を解決するための本発明は、無線アクセスシステムにおいて、管理センタにＳＮＭＰマネージャを、各無線基地局にＳＮＭＰエージェントを備え、通信許可に用いられる加入者管理情報テーブルに、ＳＮＭＰプロトコルを用いてＳＥＴリクエストにより加入者の新規登録、登録削除、運用停止、運用再開の情報を設定させるようにしており、各無線基地局における加入者の管理を管理センタからのＳＥＴリクエストで容易に実現できる。
【００１０】
また、本発明は、管理センタにＳＮＭＰマネージャを備え、各無線基地局にＳＮＭＰエージェントと加入者の情報を記憶する加入者管理情報テーブルとを備え、各無線基地局は、加入者管理情報テーブルを参照して通信許可された加入者局と通信を行う無線アクセスシステムであって、管理センタのＳＮＭＰマネージャは、ＳＮＭＰプロトコルを使用して無線基地局のＳＮＭＰエージェントに加入者の新規登録の情報をＳＮＭＰのＳＥＴリクエストにより送信し、無線基地局のＳＮＭＰエージェントは、ＳＥＴリクエストが加入者の新規登録であると判断すると、当該加入者が加入者管理情報テーブルに登録されているか否かを調べ、既に登録されていれば管理センタのＳＮＭＰマネージャにエラーを返信し、登録されていなければ加入者管理情報テーブルに新規登録の加入者の情報を登録するものであり、各無線基地局における加入者の新規登録の管理を管理センタからのＳＥＴリクエストで容易に実現できる。
【００１１】
また、本発明は、管理センタにＳＮＭＰマネージャを備え、各無線基地局にＳＮＭＰエージェントと加入者の情報を記憶する加入者管理情報テーブルとを備え、各無線基地局は、加入者管理情報テーブルを参照して通信許可された加入者局と通信を行う無線アクセスシステムであって、管理センタのＳＮＭＰマネージャは、ＳＮＭＰプロトコルを使用して無線基地局のＳＮＭＰエージェントに加入者の登録削除の情報をＳＮＭＰのＳＥＴリクエストにより送信し、無線基地局のＳＮＭＰエージェントは、ＳＥＴリクエストが加入者の登録削除であると判断すると、当該加入者が加入者管理情報テーブルに登録されているか否かを調べ、登録されていなければ管理センタのＳＮＭＰマネージャにエラーを返信し、登録されていれば加入者管理情報テーブルにおける加入者の情報を削除するものであり、各無線基地局における加入者の登録削除の管理を管理センタからのＳＥＴリクエストで容易に実現できる。
【００１２】
また、本発明は、管理センタにＳＮＭＰマネージャを備え、各無線基地局にＳＮＭＰエージェントと加入者の情報を記憶する加入者管理情報テーブルとを備え、各無線基地局は、加入者管理情報テーブルを参照して通信許可された加入者局と通信を行う無線アクセスシステムであって、管理センタのＳＮＭＰマネージャは、ＳＮＭＰプロトコルを使用して無線基地局のＳＮＭＰエージェントに加入者の運用停止の情報をＳＮＭＰのＳＥＴリクエストにより送信し、無線基地局のＳＮＭＰエージェントは、ＳＥＴリクエストが加入者の運用停止であると判断すると、当該加入者が加入者管理情報テーブルに登録されているか否かを調べ、登録されていなければ管理センタのＳＮＭＰマネージャにエラーを返信し、登録されていれば加入者管理情報テーブルにおける加入者の情報を運用停止に設定するものであり、各無線基地局における加入者の運用停止の管理を管理センタからのＳＥＴリクエストで容易に実現できる。
【００１３】
本発明は、管理センタにＳＮＭＰマネージャを備え、各無線基地局にＳＮＭＰエージェントと加入者の情報を記憶する加入者管理情報テーブルとを備え、各無線基地局は、加入者管理情報テーブルを参照して通信許可された加入者局と通信を行う無線アクセスシステムであって、管理センタのＳＮＭＰマネージャは、ＳＮＭＰプロトコルを使用して無線基地局のＳＮＭＰエージェントに加入者の運用再開の情報をＳＮＭＰのＳＥＴリクエストにより送信し、無線基地局のＳＮＭＰエージェントは、ＳＥＴリクエストが加入者の運用再開であると判断すると、加入者管理情報テーブルを調べ、当該加入者が登録されていない場合及び登録はされているものの運用情報が停止となっていない場合には管理センタのＳＮＭＰマネージャにエラーを返信し、登録されていて運用情報が停止となっている場合に加入者管理情報テーブルにおける加入者の情報を運用再開に設定するものであり、各無線基地局における加入者の運用再開の管理を管理センタからのＳＥＴリクエストで容易に実現できる。
【００１４】
本発明は、管理センタにＳＮＭＰマネージャを備え、各無線基地局にＳＮＭＰエージェントと加入者の情報を記憶する加入者管理情報テーブルとを備え、各無線基地局は、加入者管理情報テーブルを参照して通信許可された加入者局と通信を行う無線アクセスシステムであって、管理センタのＳＮＭＰマネージャは、ＳＮＭＰプロトコルを使用して無線基地局のＳＮＭＰエージェントに第１の特定時間に加入者の運用停止の情報を、第２の特定時間に加入者の運用再開の情報をＳＮＭＰのＳＥＴリクエストにより送信し、無線基地局のＳＮＭＰエージェントは、第１の特定時間に受信したＳＥＴリクエストが加入者の運用停止であると判断すると、当該加入者が加入者管理情報テーブルに登録されているか否かを調べ、登録されていなければ管理センタのＳＮＭＰマネージャにエラーを返信し、登録されていれば加入者管理情報テーブルにおける加入者の情報を運用停止に設定し、無線基地局のＳＮＭＰエージェントは、第２の特定時間に受信したＳＥＴリクエストが加入者の運用再開であると判断すると、加入者管理情報テーブルを調べ、当該加入者が登録されていない場合及び登録はされているものの運用情報が停止となっていない場合には管理センタのＳＮＭＰマネージャにエラーを返信し、登録されていて運用情報が停止となっている場合に加入者管理情報テーブルにおける加入者の情報を運用再開に設定するものであり、各無線基地局における加入者の運用停止と運用再開の管理をタイマセットによって自動化でき、管理センタからのＳＥＴリクエストで容易に実現できる。
【００１５】
【発明の実施の形態】
本発明の実施の形態を図面を参照しながら説明する。
本発明の実施の形態に係る無線アクセスシステムは、管理センタにＳＮＭＰマネージャを、各無線基地局にＳＮＭＰエージェントを備え、通信許可に用いられる加入者管理情報テーブルに、ＳＮＭＰプロトコルを用いてＳＥＴリクエストにより加入者の新規登録、登録削除、運用停止、運用再開の情報を設定させるようにしており、これにより、各無線基地局における加入者の管理を管理センタからのＳＥＴリクエストで容易に実現できるものである。
【００１６】
本発明の実施の形態に係る無線アクセスシステム（本システム）について、図１を用いて説明する。図１は、無線アクセスシステムの構成ブロック図である。
本システムは、図１に示すように、一つの無線基地局と複数の加入者局とから成る管理ノード１，２と、各管理ノードの保守・監視を行う管理センタ３と、管理ノード１，２と管理センタ３とを接続する基幹ネットワークとなる光ファイバ網４とから構成されている。
【００１７】
次に、本システムの各部を具体的に説明する。
管理ノード１は、無線基地局１ａとそれに無線にて接続する複数の加入者局１ｂ，１ｃ，１ｄとから構成されている。
管理ノード２は、無線基地局２ａとそれに無線にて接続する複数の加入者局２ｂ，２ｃ，２ｄとから構成されている。
図１では、管理ノードを２つしか描画していないが、実際にはもっと多くの管理ノードが存在し、そして各管理ノード内の加入者局も更に多数存在している。
本実施の形態では、加入者無線アクセスシステムにおけるＰ−ＭＰ方式を採用している。
【００１８】
基幹（バックボーン）ネットワークとして光ファイバ網４を示したが、ＩＳＤＮなどの一般公衆網であっても構わない。
Ｐ−ＭＰ方式の無線アクセスシステムにおける無線基地局は、光ファイバ網４からデータを受信した場合、また加入者局からデータを受信した場合、受信したパケットの宛先アドレス、送信元アドレスがその無線基地局に登録されている加入者局に該当するか否か確認する。
これは、基幹ネットワークから不要なパケットを無線区間に送出するのを排除し、加入者局からの不正アクセスを防止するためである。
【００１９】
リモートサイトの管理センタ３は、インターネットの標準管理プロトコルであるＳＮＭＰ（Simple Network Management Protocol ）のマネージャ３ａを実装し、加入者の管理業務を行う。
無線基地局１ａ，２ａは、ＳＮＭＰのエージェント１１，２１を実装し、管理する加入者に対する管理情報を無線基地局内の記憶装置にＳＮＭＰのＭＩＢ（Management Information Base）として蓄積する。
【００２０】
管理センタ３と無線基地局との間の加入者の管理情報の具体的処理は、以下、詳細に説明する。
尚、請求項において、加入者管理情報テーブルに対して、加入者の新規登録の情報を設定する機能実現手段を加入者登録手段とし、加入者の登録削除の情報を設定する機能実現手段を加入者削除手段とし、加入者の運用停止の情報を設定する機能実現手段を加入者サービス停止手段とし、サービス停止を加入者局に通知する機能実現手段をサービス停止通知手段とし、加入者の運用再開の情報を設定する機能実現手段を加入者サービス再開手段とし、サービス再開を加入者局に通知する機能実現手段をサービス再開通知手段としている。
【００２１】
これら各手段を示すのが図６の無線基地局内の構成ブロック図である。図６は、無線基地局内の構成を示す構成ブロック図である。
図６に示すように、無線基地局１ａは、ＳＮＭＰエージェント１１と、加入者管理情報テーブル１２と、加入者登録手段１３と、加入者削除手段１４と、加入者サービス停止手段１５と、サービス停止通知手段１６と、加入者サービス再開手段１７と、サービス再開通知手段１８とから構成されている。ここにおける各手段は、無線基地局１ａ内のソフトウェアによって実現されている。
【００２２】
各手段の動作について説明する。
ＳＮＭＰエージェント１１は、ＳＮＭＰマネージャ３ａからの信号を受信し、その信号内容に従って各手段を動作制御させ、更に各手段からの信号を入力し、ＳＮＭＰマネージャ３ａに信号を送信するものである。
加入者管理情報テーブル１２は、後述する通り、管理ノードにおける加入者の情報を管理するテーブルである。
【００２３】
加入者登録手段１３は、管理センタ３のＳＮＭＰマネージャ３ａからＳＮＭＰプロトコルを使用して無線基地局１ａのＳＮＭＰエージェント１１に加入者の新規登録の情報が送信されると、加入者管理情報テーブル１２に加入者の新規登録の情報を設定する手段である。
【００２４】
加入者削除手段１４は、管理センタ３のＳＮＭＰマネージャ３ａからＳＮＭＰプロトコルを使用して無線基地局１ａのＳＮＭＰエージェント１１に加入者の登録削除の情報が送信されると、加入者管理情報テーブル１２に加入者の登録削除の情報を設定する手段である。
【００２５】
加入者サービス停止手段１５は、管理センタ３のＳＮＭＰマネージャ３ａからＳＮＭＰプロトコルを使用して無線基地局１ａのＳＮＭＰエージェント１１に加入者の運用停止の情報が送信されると、加入者管理情報テーブル１２に加入者の運用停止の情報を設定する手段である。
サービス停止通知手段１６は、加入者の運用停止の際に、運用停止の加入者局に無線信号を使用してサービス停止を通知する手段である。
【００２６】
加入者サービス再開手段１７は、管理センタ３のＳＮＭＰマネージャ３ａからＳＮＭＰプロトコルを使用して無線基地局１ａのＳＮＭＰエージェント１１に加入者の運用再開の情報が送信されると、加入者管理情報テーブル１２に加入者の運用再開の情報を設定する手段である。
サービス再開通知手段は、加入者の運用再開の際に、運用再開の加入者局に無線信号を使用してサービス再開を通知する手段である。
尚、ＳＮＭＰエージェント１１と各手段とを別個のものとして以上説明したが、各手段の機能をＳＮＭＰエージェント１１内に含めるようにしても構わない。
【００２７】
まず、新規加入者局の登録の例を、管理ノード１において、加入者局１ｄが無線基地局１ａの配下の加入者局として新規に登録する場合を、図２，図３を用いて説明する。図２は、無線基地局で管理する加入者管理情報テーブルを示す図であり、図３は、ＳＮＭＰセットリクエストのＰＤＵを示す図である。
【００２８】
無線基地局１ａ内に備えられた記憶装置には、図２に示すように、加入者管理情報がテーブル形式で保存されており、通信事業者が加入者局１ｄとなる加入者と新規契約を行った後は、図２の加入者管理情報テーブルに当該加入者の管理情報登録が必要となる。
【００２９】
そこで、各管理ノードに新規に加入者局を設置する場合は、図１の管理センタ３に設置するＳＮＭＰマネージャ３ａからＳＮＭＰプロトコルを使用して当該管理ノードの無線基地局に加入者情報の登録作業を実施する。
【００３０】
そして、管理ノード１の基地局装置１ａには、ＳＮＭＰエージェント１１が搭載されており、無線基地局内の記憶装置にはＳＮＭＰのＭＩＢテーブルが蓄積され、そのＭＩＢテーブルには、図２の加入者管理情報テーブルが含まれている。
【００３１】
加入者局１ｄの管理情報登録は、通信事業者と加入者局１ｄの加入者の契約後に、管理センタ３のＳＮＭＰマネージャ３ａのＳＮＭＰのＳＥＴ（セット）リクエストによって行われる。
このＳＥＴリクエストは、図３に示すように、加入者局１ｄのＭＡＣアドレスなどの機器アドレスと加入者を管理するための加入者ＩＤと登録を示す運用フラグが添付されたＰＤＵ（Protocol Data Unit）で構成される。
【００３２】
次に、無線基地局１ａにおける処理を図７を用いて説明する。図７は、新規登録の処理を示すフローチャート図である。
無線基地局１ａのＳＮＭＰエージェント１１は、加入者局１ｄの登録要求を示すＳＥＴリクエストをバックボーンネットワークの光ファイバ網４から受信する（Ｓ１１）と、受信したＰＤＵ内の運用フラグが新規加入の登録を示すものとなっていることから、当該ＳＥＴリクエストが加入者の登録コマンドであると判断する。つまり、加入者の新規登録であるか否かの判断が為される（Ｓ１２）。新規登録であれば（Ｙｅｓの場合）以下の処理に進み、そうでなければ（Ｎｏの場合）処理を終了する。
【００３３】
次に、無線基地局１ａは、加入者管理情報テーブルを参照して（Ｓ１３）、受信したＰＤＵ内の加入者ＩＤと機器アドレスが図２の加入者管理情報テーブルに既に存在するものであるか調べ（Ｓ１４）、存在しなければ（Ｎｏの場合）、加入者管理情報テーブルの空きレコードに受信した加入者ＩＤ及び機器アドレスを追加し（Ｓ１５）、既に存在すれば（Ｙｅｓの場合）、管理センタ３のＳＮＭＰマネージャ３ａにエラーのレスポンスを返す（Ｓ１６）。
【００３４】
加入者局１ｄの無線基地局１ａへの登録終了後は、実際に加入者局１ｄとの通信が発生しても、無線基地局１ａが受信するパケットの送信元アドレス若しくは宛先アドレスが加入者管理情報テーブルに存在することになるため、無線基地局１ａで加入者局１ｄの通信が許可される。
また、この手順で登録された加入者局１ｄの加入者ＩＤは、セキュリティ及び保守のインデックスとして利用できる。
【００３５】
次に、加入者局が通信事業者とサービスを解除する場合について、管理ノード１において、加入者局１ｄが無線基地局１ａの管理登録を解除する例を説明する。
加入者局の登録解除は、加入者局の新規登録と同様に、リモートサイトの管理センタ３からＳＮＭＰプロトコルを使用して行う。
【００３６】
具体的には、管理センタ３のＳＮＭＰマネージャ３ａから加入者局１ｄの登録削除要求を示すＳＮＭＰセットリクエストを無線基地局１ａのＳＮＭＰエージェント１１に送信する。
ＳＮＭＰマネージャ３ａから送信されるＳＮＭＰのＰＤＵは、登録削除を行う加入者局１ｄの加入者ＩＤと、機器アドレスと、送信するＳＥＴリクエストが加入者局の登録削除を示す運用フラグで構成されている。
【００３７】
次に、無線基地局１ａにおける処理を図８を用いて説明する。図８は、登録削除の処理を示すフローチャート図である。
そして、無線基地局１ａは、ＳＥＴリクエストを受信する（Ｓ２１）と、受信したＳＥＴリクエストのＰＤＵの運用フラグが加入者の登録削除を示すものとなっていることから、当該ＳＥＴリクエストが加入者の登録削除コマンドであると判断する。つまり、加入者の登録削除であるか否かの判断が為される（Ｓ２２）。登録削除であれば（Ｙｅｓの場合）以下の処理に進み、そうでなければ（Ｎｏの場合）処理を終了する。
【００３８】
次に、無線基地局１ａは、加入者管理情報テーブルを参照して（Ｓ２３）、受信したＳＥＴリクエストの加入者ＩＤ、機器アドレスのいずれかが加入者管理情報テーブル１２に既に存在するかを調べ（Ｓ２４）、存在する場合（Ｙｅｓの場合）には、図２の加入者管理情報テーブルの加入者局１ｄのエントリを削除する（Ｓ２５）。また、加入者ＩＤ若しくは機器アドレスが加入者管理情報テーブル１２に存在しなければ（Ｎｏの場合）、管理センタ３のＳＮＭＰマネージャ３ａにエラーのレスポンスを返す（Ｓ２６）。
【００３９】
加入者局１ｄの無線基地局１ａへの登録削除後は、実際に無線基地局１ａと加入者局１ｄとの通信が発生しても、無線基地局１ａが受信するパケットの送信元アドレス若しくは宛先アドレスが加入者管理情報テーブルに存在しないため、無線基地局１ａと加入者局１ｄの通信が無線基地局１ａで拒絶される。
【００４０】
また、本システムでは、サービスを提供する通信事業者へ加入者毎に一定期間におけるサービスの停止又はサービス停止後の再開といった運用形態を提供することができる。加入者のサービス停止は、加入者の料金未払いなどによるサービスの強制停止、加入者の長期不在などを理由とした加入者側の要求によるサービスの一定期間停止などから、通信事業者に必要なサービスである。
【００４１】
加入者局が通信事業者とサービスを一定期間停止する場合について、管理ノード１の加入者局１ｄが無線基地局１ａの管理登録を運用停止に設定する例を説明する。
加入者局の運用は、加入者局の新規登録／削除の場合と同様に、リモートサイトの管理センタ３からＳＮＭＰプロトコルを使用して行う。
【００４２】
具体的には、管理センタ３のＳＮＭＰマネージャ３ａから加入者局１ｄの運用停止を示すＳＮＭＰセットリクエストを無線基地局１ａのＳＮＭＰエージェント１１に送信する。
ＳＮＭＰマネージャ３ａから送信されるＳＮＭＰのＰＤＵは、運用停止を行う加入者局１ｄの加入者ＩＤ、加入者局１ｄの機器アドレス、送信するＳＥＴリクエストが加入者局の運用停止を示す運用フラグとから構成される。
【００４３】
次に、無線基地局１ａにおける処理を図９を用いて説明する。図９は、運用停止の処理を示すフローチャート図である。
無線基地局１ａは、ＳＥＴリクエストを受信した（Ｓ３１）ら、受信したＳＥＴリクエストに含まれるＰＤＵの運用フラグが加入者の運用停止を示すものとなっていることから、ＳＥＴリクエストが加入者の運用停止コマンドであると判断する。つまり、加入者の運用停止であるか否かの判断が為される（Ｓ３２）。運用停止であれば（Ｙｅｓの場合）以下の処理に進み、そうでなければ（Ｎｏの場合）処理を終了する。
【００４４】
次に、無線基地局１ａは、加入者管理情報テーブルを参照して（Ｓ３３）、受信した加入者ＩＤ、機器アドレスのいずれかが加入者管理情報テーブル１２に存在するか否か調べ（Ｓ３４）、存在する場合（Ｙｅｓの場合）には、加入者管理情報テーブル１２の加入者局１ｄのエントリ上の運用フラグを停止に設定する（Ｓ３５）。また、加入者ＩＤ若しくは機器アドレスが加入者管理情報テーブルに存在しなければ（Ｎｏの場合）、管理センタ３のＳＮＭＰマネージャ３ａにエラーのレスポンスを返す（Ｓ３６）。
【００４５】
加入者局１ｄの無線基地局への運用停止後は、実際に加入者１ｄとの通信が発生しても、無線基地局１ａが受信するパケットの送信元アドレス若しくは宛先アドレスが加入者管理情報テーブル１２に存在しても、加入者の運用フラグが運用停止であるため、無線基地局１ａと加入者局１ｄとの通信が無線基地局１ａで拒絶される。
【００４６】
尚、Ｐ−ＭＰ方式の加入者無線アクセスシステムでは、一般的にＴＤＭＡ（Time Division Multiple Access）方式が用いられ、一つの無線基地局と加入者局との通信は、予め決められたフレーム信号により通信が行われる。加入者無線アクセスシステムで使用する無線フレームの例を図４に示す。図４は、無線アクセスシステムの無線フレームを示す図である。
【００４７】
無線フレームは、図４に示すように、報知信号、受信確認信号、送信要求信号、送信許可信号、データ信号で構成される。
報知信号は、無線基地局と加入者局との間の同期確保のために、無線基地局から加入者局に対して一定間隔で送信される制御チャネルである。
受信確認信号は、データ信号に対してＡＣＫ／ＮＡＫを返送するための制御チャネルである。
送信要求信号は、一つの加入者局が無線区間へのデータ送信を行う際に、無線基地局に対して送信開始要求を行う制御チャネルである。
送信許可信号は、無線基地局が送信要求信号に対して送信許可を与えるための制御チャネルである。
データ信号は、実際にデータを伝送するチャネルである。
【００４８】
無線基地局１ａは、上記のように、加入者局１ｄの運用停止の処理を行うと、図５に示す報知信号の運用停止加入者ＩＤのフィールドに加入者局１ｄの加入者ＩＤを付与する。図５は、報知信号の内容を示す図である。
この報知信号は、無線基地局１ａと加入者局１ｂ〜１ｄ間の通信同期を得るために一定間隔で無線基地局１ａから送信され、加入者局１ｄで報知信号受信時に報知信号中の運用停止加入者ＩＤのフィールドに自局の加入者ＩＤが付与されていることを判断すると、報知信号受信処理以外の無線基地局１ａとの通信を停止し、加入者局１ｄに接続する端末にサービス停止を通知する。
報知信号の運用停止加入者ＩＤのフィールドに加入者局ＩＤを付与するのは、数秒間程度連続して行うようにすれば、加入者局で確実に受信されるものである。
【００４９】
次に、加入者局が通信事業者とサービスの停止状態から運用サービスを再開する場合について、管理ノード１において、加入者局１ｄが無線基地局１ａの管理登録を運用再開に設定する例を説明する。
加入者局の運用再開は、加入者局の新規登録／削除の場合と同様に、リモートサイトの管理センタ３からＳＮＭＰプロトコルを使用して行う。
【００５０】
具体的には、管理センタ３のＳＮＭＰマネージャ３ａから加入者局１ｄの運用再開を示すＳＮＭＰセットリクエストを無線基地局１ａのＳＮＭＰエージェント１１に送信する。
ＳＮＭＰマネージャ３ａから送信されるＳＮＭＰのＰＤＵは、運用再開を行う加入者局１ｄの加入者ＩＤ、加入者局１ｄの機器アドレス、送信するＳＥＴリクエストが加入者局の運用再開を示す運用フラグとから構成される。
【００５１】
次に、無線基地局１ａにおける処理を図１０を用いて説明する。図１０は、運用再開の処理を示すフローチャート図である。
無線基地局１ａは、ＳＥＴリクエストを受信した（Ｓ４１）ら、受信したＳＥＴリクエストに含まれるＰＤＵの運用フラグが加入者の運用再開を示すものとなっていることから、ＳＥＴリクエストが加入者の運用再開コマンドであると判断する。つまり、加入者の運用再開であるか否かの判断が為される（Ｓ４２）。運用再開であれば（Ｙｅｓの場合）以下の処理に進み、そうでなければ（Ｎｏの場合）処理を終了する。
【００５２】
次に、無線基地局１ａは、加入者管理情報テーブルを参照して（Ｓ４３）、受信した加入者ＩＤ、機器アドレスのいずれかが加入者管理情報テーブル１２に存在するか否か調べ（Ｓ４４）、存在する場合（Ｙｅｓの場合）には、加入者局１ｄの加入者管理情報テーブルの運用フラグが運用停止に設定されているか判断し（Ｓ４５）、運用停止が設定されていれば（Ｙｅｓの場合）、加入者管理情報テーブルの加入者局１ｄのエントリ上の運用フラグを再開に設定する（Ｓ４６）。
また、加入者ＩＤ若しくは機器アドレスが加入者管理情報テーブルに存在しない場合（処理Ｓ４４でＮｏの場合）、また加入者局１ｄの加入者管理情報テーブルの運用フラグが運用停止以外であるとき（処理Ｓ４５でＮｏの場合）には、管理センタ３のＳＮＭＰマネージャ３ａにエラーのレスポンスを返す（Ｓ４７）。
【００５３】
加入者局１ｄの無線基地局への運用再開後は、実際に加入者１ｄとの通信が発生すると、無線基地局１ａが受信するパケットの送信元アドレス若しくは宛先アドレスが加入者管理情報テーブル１２に存在して、加入者の運用フラグが運用再開であるため、無線基地局１ａと加入者局１ｄとの通信が無線基地局１ａで許可される。
【００５４】
無線基地局１ａは、上記のように、加入者局１ｄの運用再開の処理を行うと、図５に示す報知信号の運用再開加入者ＩＤのフィールドに加入者局１ｄの加入者ＩＤを付与する。
報知信号は、既に説明した通り、無線基地局１ａと加入者局１ｂ〜１ｄ間の通信同期を得るために一定間隔で無線基地局１ａから送信され、加入者局１ｄで報知信号受信時に報知信号中の運用再開加入者ＩＤのフィールドに自局の加入者ＩＤが付与されていることを判断すると、無線基地局１ａとの通常の運用を再開し、加入者局１ｄに接続する端末にサービス再開を通知する。
報知信号の運用再開加入者ＩＤのフィールドに加入者局ＩＤを付与するのは、数秒間程度連続して行うようにすれば、加入者局で確実に受信されるものである。
【００５５】
本システムによれば、加入者の新規登録、削除、サービス停止、サービス再開といった、通信事業者が行う加入者管理業務を、リモートサイトの管理センタから容易に行うことができ、無線基地局の増加に伴い通信事業者が管理するノード数が増えても無線基地局毎に点在する全加入者の集中管理を容易に実現できる効果がある。
【００５６】
また、本システムによれば、管理センタ３から加入者毎のサービス停止、再開を設定できるため、加入者側の都合に柔軟に対応できる効果がある。
例えば、サービスの停止と再開を組み合わせて、管理センタ３のＳＮＭＰマネージャ３ａに予めタイマセットしておくことで、特定の日時になるとサービス停止を行い、また別の日時になるとサービス開始を自動的に行うようにすることも可能である。
【００５７】
タイマセットを用いたサービスの停止と再開を組み合わせて行う処理を図１１を用いて説明する。図１１は、タイマセットを用いたサービスの停止と再開の処理を示すフローチャート図である。
まず、管理センタ３のＳＮＭＰマネージャ３ａは、第１の特定時間（加入者の運用を停止させる日時）に加入者の運用停止を示すＳＥＴリクエストを送信し、更に第２の特定時間（加入者の運用を再開させる日時）に加入者の運用再開を示すＳＥＴリクエストを送信するようになっている。
【００５８】
これに対して、無線基地局１ａは、第１の特定時間に、ＳＥＴリクエストを受信し（Ｓ５１）、受信したＳＥＴリクエストに含まれるＰＤＵの運用フラグが加入者の運用停止を示すものであるか判断し（Ｓ５２）、運用停止でなければ（Ｎｏの場合）、処理Ｓ６１に移行する。
処理Ｓ５２で運用停止であれば（Ｙｅｓの場合）、加入者管理情報テーブルを参照し（Ｓ５３）、加入者が存在するか判断し（Ｓ５４）、加入者が存在すれば（Ｙｅｓの場合）、加入者管理情報テーブルの加入者局に運用停止の情報を設定し（Ｓ５５）、加入者が存在しなければ（Ｎｏの場合）、ＳＮＭＰマネージャ３ａにエラーを返信する（Ｓ５６）。
【００５９】
しばらくして、無線基地局１ａは、第２の特定時間に、ＳＥＴリクエストを受信し（Ｓ６１）、受信したＳＥＴリクエストに含まれるＰＤＵの運用フラグが加入者の運用再開を示すものであるか判断し（Ｓ６２）、運用再開でなければ（Ｎｏの場合）、処理を終了する。
処理Ｓ６２で運用再開であれば（Ｙｅｓの場合）、加入者管理情報テーブルを参照し（Ｓ６３）、加入者が存在するか判断し（Ｓ６４）、加入者が存在すれば（Ｙｅｓの場合）、更にその加入者局に運用停止の情報が設定されているか判断し（Ｓ６５）、運用停止が設定されていれば（Ｙｅｓの場合）、加入者管理情報テーブルの加入者局に運用再開の情報を設定し（Ｓ６６）、加入者が存在しなければ（Ｎｏの場合）、ＳＮＭＰマネージャ３ａにエラーを返信する（Ｓ６７）。
そして、処理を終了する。
このようにして、第１の特定時間から第２の特定時間までの間、特定加入者に対してサービスの停止と再開の処理を自動的に行うことが可能となるものである。
【００６０】
また、本システムによれば、サービス停止を実現することにより、加入者局からの無駄なアクセスを防止できるので、通信のスループットの低下を防ぐことができる効果がある。
また、本システムによれば、管理センタ３から加入者の新規登録、削除、サービス停止、サービス再開をリアルタイムに実施できるため、不正アクセス防止にも有効である。
【００６１】
【発明の効果】
本発明によれば、管理センタにＳＮＭＰマネージャを、各無線基地局にＳＮＭＰエージェントを備え、通信許可に用いられる加入者管理情報テーブルに、ＳＮＭＰプロトコルを用いてＳＥＴリクエストにより加入者の新規登録、登録削除、運用停止、運用再開の情報を設定させる無線アクセスシステムとしているので、各無線基地局における加入者の管理を管理センタからのＳＥＴリクエストで容易に実現できる効果がある。
【図面の簡単な説明】
【図１】本発明の実施の形態に係る無線アクセスシステムの構成ブロック図である。
【図２】無線基地局で管理する加入者管理情報テーブルを示す図である。
【図３】ＳＮＭＰセットリクエストのＰＤＵを示す図である。
【図４】無線アクセスシステムの無線フレームを示す図である。
【図５】報知信号の内容を示す図である。
【図６】無線基地局内の構成を示す構成ブロック図である。
【図７】新規登録の処理を示すフローチャート図である。
【図８】登録削除の処理を示すフローチャート図である。
【図９】運用停止の処理を示すフローチャート図である。
【図１０】運用再開の処理を示すフローチャート図である。
【図１１】タイマセットを用いたサービスの停止と再開の処理を示すフローチャート図である。
【符号の説明】
１、２…管理ノード、  １ａ，２ａ…無線基地局、  １ｂ，１ｃ，１ｄ，２ｂ，２ｃ，２ｄ…加入者局、  ３…管理センタ、  ３ａ…ＳＮＭＰマネージャ、  ４…光ファイバ網、  １１，２１…ＳＮＭＰエージェント、  １２…加入者管理情報テーブル、  １３…加入者登録手段、  １４…加入者削除手段、  １５…加入者サービス停止手段、  １６…サービス停止通知手段、  １７…加入者サービス再開手段、  １８…サービス再開通知手段
【図１】
0004558181.tif 000002
【図２】
0004558181.tif 000003
【図３】
0004558181.tif 000004
【図４】
0004558181.tif 000005
【図５】
0004558181.tif 000006
【図６】
0004558181.tif 000007
【図７】
0004558181.tif 000008
【図８】
0004558181.tif 000009
【図９】
0004558181.tif 000010
【図１０】
0004558181.tif 000011
【図１１】
0004558181.tif 000012